(57)【要約】【課題】従来の上半身起き上がり具は寝具の横に置いて不安定な形で使うので、足に掛けた足掛け輪付き引っ張り棒により真正面に起き上がれる補助具を提供する。【解決手段】一方を手に持った状態で足に届く長さの引っ張り棒２の一方端部に、厚手の皮革帯を略三角状に曲げ形成した足掛け輪３を止め具４をもって強固に取り付けた足裏引っ掛け具５を形成するとともに、他方端部の把手部６に野球のバットのようなスベリ止め突部７を設けた起き上がり補助具１を構成する。【選択図】図１
2008012272.tif 000002
【特許請求の範囲】
【請求項１】
寝ている状態から一人で上半身を起こせる補助具であって、手に持って足に届く長さの引っ張り棒の先端に足裏引っ掛け具を形成した構成を特徴とする上半身引き起こし補助具。
【請求項２】
上記する足裏引っ掛け具が、適度な腰の強さと丈夫さを有する足掛け輪で形成される請求項１に記載する上半身引き起こし補助具。
【請求項３】
上記する足裏引っ掛け具が、引っ張り棒の端部に足掛け板を直角に取り付けてなる請求項１に記載する記載する上半身引き起こし補助具。
【請求項４】
上記する引っ張り棒の把手部を、Ｔ字状に形成してなる請求項１から請求項３のいずれかに記載する上半身引き起こし補助具。
【請求項５】
上記する引っ張り棒が、略平行な二本の棒の一方端部をつなげてなる部分を把手部とする請求項１に記載する上半身引き起こし補助具。
【発明の詳細な説明】
【技術分野】
【０００１】  本発明は、片手を怪我をした一般の人や寝たきり生活者であっても、人の手を借りずに寝た状態から上半身を容易に起こすことができる起き上がり用の補助具に関する。
【背景技術】
【０００２】  従来、一般の人が片手を怪我をした場合でも一人では容易に上半身を起こすのは難しいし、寝たきり生活者などの場合は両手がしっかりしていても一人では上半身を起せないため、上半身を起こす際は周りの人や看護師の手を借りて起きている。また、ベッドの側部に手摺が設けられている時は、大変でもその手摺に掴まりながら起きる場合もある。さらに、ベッドの上半身部分を手動や電動で上方に持ち上げることで、上半身を起こせるベッドがある。【０００３】  また、柱等に固定した駆動ボックス内のモーターに連結したロープの端部に受けた設けた把持具を掴んでから、遠隔操作によりロープを巻き取ることで上半身を引き起こせる起き上がり補助装置がある。（例えば、特許文献１参照）【０００４】  さらに、低位置から高位置まで段階的に手すりを設け、起き上がったり立ち上る際は手すりに掴まりながら使う起き上がり用の据置手すりの技術もある。（例えば、特許文献２参照）
【特許文献１】特開平９−１４９９１９公報
【特許文献２】特開２００４−１８８１４１公報
【発明の開示】
【発明が解決しようとする課題】
【０００５】  上記のように片手や身体が不自由な人が上半身を起こしたい時は、周りに人が居る時はよいが居ない時は思うようにならないので不便であり、ストレスを招く要因にもなる。またベッドの側部に備えた手摺を掴んで身を起こす際は、怪我などで入院した力のある男性の場合は片手でも上体を起こせるが、寝たきり高齢者などは力が弱いことと、体が傾くようになるので容易には上半身を起こせない。加えて、手動又は電動でベッドの背部が持ち上がるタイプにおいては、手動の場合は第三者が行う必要があるので一人では難しかった。他方、電動の場合は手元のリモコン操作で身を起こせる便利さはあるが、このタイプは高額であるためだれでも気軽に使えるものではないことはもとより、手動又は電動タイプいずれも一般の敷き布団では使えないなどの不便や欠点があった。【０００６】  さらに、特開平９−１４９９１９公報による技術は寝た状態から上半身を起こせる装置として、ロープの一端に把持具を取り付けた他方端部を、柱等に固定した中継プーリーを介して駆動ボックス内のモータプーリーに結着してなる装置を構成し、起きる際は前記したロープの一端に取り付けた操作部付き把持具を掴んでから、遠隔操作によってロープを巻き上げることで上半身を引き起こせるものであるが、これは中継プーリーを柱などに固定する必要があるうえ、電源が近くに無い場所では使えないなどの不便や面倒がある。また、操作は把持具部分で行うが、機械に弱い高齢者などの場合は慣れるのに時間が掛かるし、起きる際はモータの駆動力で機械的に引っ張られるのでバランスを崩して倒れる危険要素もあり高齢者には使いにくい。加えて、装置はモータや操作部など電動式であるので安いコストでは提供できないため、手軽にだれでも使えると言うものではない起き上がり補助装置であった。【０００７】  さらに、特開２００４−１８８１４１公報による技術は、略三角状の二枚の支え土台板を一定間隔に位置したうえで、その前後に複数本の手すりを上下に段階的に連結した据置き手すりであるが、この手すりは寝具の横に位置してから前記の手すりを下から順に掴みながら起きたり立ち上がるため、体が不安定になったりズレたりして安定して起き上がれないなどの不便や欠点がある起き上がり立ち上がり用据置手すりであった。
【課題を解決するための手段】
【０００８】  本発明は、上記するような従来の技術の不便や欠点を解消するために、請求項１においては、手に持って足に届く長さの引っ張り棒の先端に足裏引っ掛け具を取り付けることで、起きる時は前記する足裏引っ掛け具を足に掛けて手前に引くことで、一人でも上半身を容易に引き起こせる上半身起き上がり補助具とする。【０００９】  請求項２においては、上記する足裏引っ掛け具が、適度な腰の強さと丈夫な皮革素材でなる足掛け輪とすることで、確実に足を保持して引き起こせるものとする。【００１０】  請求項３においては、上記する足裏引っ掛け具が、引っ張り棒の端部に足掛け板を直角に取り付けることで、両足に引っ掛けて引き起こせるものとする。【００１１】  請求項４においては、上記する引っ張り棒の把手部を、Ｔ字状に形成することで、両手でしっかり掴んで引き起こせるものとする。【００１２】  請求項５においては、上記する引っ張り棒が、平行な二本の棒の一方端部がつながっている部分を把手部とすることで、さらに丈夫な引っ張り棒とする。
【発明の効果】
【００１３】  本発明による上半身起き上がり補助具は、足まで届く長さの棒の先端に、皮革素材や平紐、合成樹脂素材による足裏引っ掛け具を取り付けたきわめてシンプルな形であるにも関わらず、上半身を起こす際は足裏引っ掛け具を足に掛けてから引っ張り棒を手前に引き寄せることで、臀部を支点として一人でも上半身を簡単に引き起こせるため、周りに手助けする人や看護師などが居なくても一人で上半身を起こせる。一人で起きられるので周りに気を遣うことなく好きな時いつでもテレビのスイッチを入れたり、お茶を飲んだり小さな用事を自分で足すことができる、従来には見られないきわめてユニークな上半身起き上がり補助具を提供する。【００１４】  さらに、実施例１タイプの引っ張り棒の把手部にはスベリ止め突部を設けているので、手が外れにくく力も入れやすい。また実施例２タイプの把手部は傘の柄のように曲げ形成しているとともに、実施例３タイプには指掛け紐を取り付けているので引き寄せやすく力も入れやすい把手部である。加えて、実施例４タイプは、足裏引っ掛け具が前記する各実施例と異なりＴ字状の足掛け板とし、その足当て面にスベリ止め突起を設けているので、適度な足裏指圧効果を得られるとともに、把手もＴ字状を成しているので両手でしっかり掴んで引き起こせる。また、実施例５タイプは引っ張り棒が二本であるので丈夫であるとともに、把手部が横棒であるので掴み易く、補強棒を設けてさらに引き寄せ易い起き上がり補助具となる。【００１５】  加えて、いずれのタイプも使う時は腕や腰に入れる必要があるので、運動不足がちになりやすい寝たきり生活者のリハビリ効果も得られる、扱い易く機能的にして効果的であるとともに、いずれも構成はシンプルであるので安価に提供できる上半身起き上がり補助具を形成する。【００１６】  さらに、これは身体が不自由な人が他人の手を借りることなく上半身お起こせる器具であるが、子供を初めとする一般の人が腹筋力や腕力を高めるためのトレーニング器具としても使える従来には見られないユニークな起き上がり補助具である。
【発明を実施するための最良の形態】
【００１７】  寝ている状態から容易に上半身を起こすことができる補助具とするために、手に持って足に届く長さの引っ張り棒の一方端部に、適度な腰の強さと柔軟性がある皮素材や軟質樹脂等による足掛け輪を取り付けた引き起こし補助具とする。
【実施例１】
【００１８】  本発明の実施例１の起き上がり補助具を、図１に示す斜視図と図２に示す使用状態の参考図で説明する。実施例１における起き上がり補助具１は、一方を手に持った状態で足に届く長さの引っ張り棒２の一方端部に、厚手の皮革帯を略三角状に曲げ形成した足掛け輪３を止め具４をもって強固に取り付けた足裏引っ掛け具５を形成するとともに、他方端部の把手部６の端にスベリ止め突部７を設けた起き上がり補助具１を構成する。【００１９】  実施例１における起き上がり補助具１は、一定に長さの引っ張り棒２の先端に幅広の足掛け輪３取り付けているので、寝た状態から一人で上半身を起こしたい時は、図２に示すように足掛け輪３を足に掛けてから、引っ張り棒２を手前に強く引く寄せるにしたがい、臀部を支点として上体を容易に引き起こせる補助具となる。加えて、引っ張り棒２の把手部６には、野球のバットのようなスベリ止め突部７を設けているので手が抜け落ちることはない起き上がり補助具１となる。
【実施例２】
【００２０】  実施例２の起き上がり補助具を図３に示す斜視図で説明する。実施例２においては引っ張り棒２の把手部６Ａの形が異なるものである。本実施例においては、引っ張り棒２の一端に設ける足裏引っ掛け具５は、所定の幅と厚みと強さのある平紐による足掛け輪３を止め具４をもって取り付けるとともに、その他方端部は、引っ張り棒２の端部を曲げ形成してなる把手部６Ａを形成した起き上がり補助具１を構成する。【００２１】  実施例２における足掛け輪３の素材は、編上げもしくは組上げによる幅広の平紐を採用しているので、適度な腰の強さとスベリにくく、かつ足触りのよい足掛け輪３を形成するとともに、把手部６Ａは引っ張り棒２の端部を傘の柄状に曲げ形成しているので掴みやすく力を入れやすいものとなる。
【実施例３】
【００２２】  実施例３の起き上がり補助具を図４に示す斜視図で説明する。実施例３の足裏引っ掛け具５の形状は前記する各タイプと同じ輪状であるが、その足掛け輪３の素材は、厚手のビニール又は軟質プラスチック等による合成樹脂素材による足掛け輪３を止め具４をもって引っ張り棒２の端部に取り付け、その対向側の把手部６には、皮革や編上げ紐等による丈夫な指掛け紐８を止め具４をもって取り付けた起き上がり補助具１を構成する。【００２３】  実施例３における足裏引っ掛け具５は、合成樹脂素材による略三角状に成形された足掛け輪３であるため堅牢であり、また把手部６の端部には指掛け紐８を取り付けているので、引っ張り棒２を引き始める際に指を掛けられるため引き寄せ易い。
【実施例４】
【００２４】  実施例４の起き上がり補助具を、図５に示す斜視図と図６に示す一部省略した平面図で説明する。実施例４に示す起き上がり補助具１の足裏引っ掛け具５は、前記する各実施例と形状が異なるものである。引っ張り棒２に取り付ける足裏引っ掛け具５は、プラスチック又は硬質木材等による足掛け板９を引っ張り棒２の端部に止め具４Ａを持ってＴ字状に強固に取り付けるとともに、その他方端部には、丸棒をＴ字状に取り付けてなる把手部６Ｂを設けた起き上がり補助具１を構成する。尚、前記足掛け板９の足当て面には小さなスベリ止め突起１０を設けている。【００２５】  実施例４における足裏引っ掛け具５は、引っ張り棒２の端部に足掛け板９をＴ字状に取り付けているので両足を押し当てられるとともに、他方端部には、丸棒をＴ字状に取り付けた把手部６Ｂを形成するので、両手でしっかりと掴んで安定して引き起こせる。
【実施例５】
【００２６】  実施例５の起き上がり補助具を図７に示す斜視図で説明する。本実施例における引っ張り棒２は前記した各タイプと異なり二本の棒で形成されるものである。長い一本のアルミ棒またはアルミパイプ棒を略Ｕ字状に曲げ形成してなる曲げ端部を把手部６Ｃとする引っ張り棒２Ｂを形成し、その前記把手部６Ｃ寄りに補強棒１１を止めネジ１２で取り付けた先端の二本の棒端部を押圧し、その端部に足裏引っ掛け具５となる、皮革や平帯などによる足掛け帯１３を掛け渡すようにして止めネジ１２で取り付けてなる起き上がり補助具１を構成する。【００２７】  実施例５における引っ張り棒２は、平行する二本の棒の間に手が楽に収まる間隔に曲げ形成した二本の金属棒による先端に足掛け帯１３を取り付け、その対向側の曲げ端部を把手部６Ｃとしているので掴み易く、二本であるので丈夫でであるとともに、アルミ素材であるのできわめて軽くて扱い易い。さらに補強棒１１を梯子状に設けているので掴んでたぐり寄せ易いやすい引っ張り棒２Ｂとなる。【００２８】  本発明における実施例１の把手部６にはスベリ止め突部７を設けているが、必ずしも設けなくてもよい。また実施例２における足掛け輪３は、幅広の平紐を採用するのが好ましいが、丈夫でかなり太い丸紐でも差し支えないし、把手部６は上方向に曲げ形成しているが、これも下向き又は左右いずれかでもよい。また、実施例４に示す足裏引っ掛け具５は、前記する各実施例と異なる足掛け板９とし、その面に小さなスベリ止め突起１０を設けているが無くてもよいし、ゴムなどの摩擦部材を張り付けてもよい。さらに、実施例５タイプは一本のアルミやパイプ棒を曲げ形成しているが、単独の二本の棒に横棒を取り付けたものでもよいうえ、また二本の棒は先端に行くにしたが少し広がる形や、中ほどの一定長さ部分の間隔が狭くした略平行形でもよく、いずれも特に限定されるものではない。
【産業上の利用可能性】
【００２９】  本発明の起き上がり補助具１は身体が不自由な人が一人で上半身を起こすための補助具であるが、子供や体力が衰えた一般の人の腹筋トレーニング用のスポーツ用具としても適用することができる。
【図面の簡単な説明】
【００３０】
【図１】本発明の実施例１の起き上がり補助具を示す斜視図である。
【図２】実施例１の起き上がり補助具を用いて上半身を起こす状態の参考図である。
【図３】実施例２の起き上がり補助具を示す斜視図である。
【図４】実施例３の起き上がり補助具を示す斜視図である。
【図５】実施例４の起き上がり補助具を示す斜視図である。
【図６】実施例４の起き上がり補助具の一部省略した平面図である。
【図７】実施例５の起き上がり補助具を示す斜視図である。
【符号の説明】
【００３１】１  起き上がり補助具
２  引っ張り棒
２Ａ  引っ張り棒
２Ｂ  引っ張り棒
３  足掛け輪
４  止め具
４Ａ  止め具
５  足裏引っ掛け具
６  把手部
６Ａ  把手部
６Ｂ  把手部
６Ｃ  把手部
７  スベリ止め突部
８  指掛け紐
９  足掛け板
１０  スベリ止め突起
１１  補強棒
１２  止めネジ
１３  足掛け帯
【図１】
2008012272.tif 000003
【図２】
2008012272.tif 000004
【図３】
2008012272.tif 000005
【図４】
2008012272.tif 000006
【図５】
2008012272.tif 000007
【図６】
2008012272.tif 000008
【図７】
2008012272.tif 000009